(57)【要約】【課題】種々の虫のうち、主に死骸となったものや、動きの遅いものを廃棄など処理しようとする場合において、虫に起因する視覚的かつ触覚的な不快感をその処理者に生じさせないようにし、かつ、虫の処理が容易にできるようにする。【解決手段】虫処理具は、軸方向の一端部の開口が処理開口４とされ、他端部の開口が操作開口５とされて自由状態で所定形状を保持する筒形状体２と、面方向のほぼ中央に位置する一部分８ａが処理開口４の外方からこの処理開口４と筒形状体２の内部空間１０とを通り操作開口５から外部に突出可能とされるシート８とを備える。操作開口５を通しシート８の一部分８ａが筒形状体２の外方に向けて引張Ａされるとき、シート８の外縁部がわ８ｂの各部が、筒形状体２の内面を摺動しつつ互いに圧接させられると共に筒形状体２の内部空間１０に収容されるようにする。【選択図】図１
2014209864.tif 000002
【特許請求の範囲】
【請求項１】
軸方向の一端部の開口が処理開口とされ、他端部の開口が操作開口とされて自由状態で所定形状を保持する筒形状体と、面方向のほぼ中央に位置する一部分が上記処理開口の外方からこの処理開口と筒形状体の内部空間とを通り上記操作開口から外部に突出可能とされるシートとを備え、上記操作開口を通し上記シートの一部分が上記筒形状体の外方に向けて引張されるとき、上記シートの外縁部がわの各部が、上記筒形状体の内面を摺動しつつ互いに圧接させられると共にこの筒形状体の内部空間に収容されるようにしたことを特徴とする虫処理具。
【請求項２】
上記筒形状体を、その軸方向で上記処理開口がわから操作開口がわに向かうに従い断面積が漸減するよう形成したことを特徴とする請求項１に記載の虫処理具。
【請求項３】
上記操作開口を長円形状にしたことを特徴とする請求項１、もしくは２に記載の虫処理具。
【請求項４】
上記操作開口を狭めるよう上記筒形状体の他端部の端縁部に環形状体を取り付けたことを特徴とする請求項１から３のうちいずれか１つに記載の虫処理具。
【請求項５】
長手方向の一端部が上記筒形状体を支持する一方、他端部がわが虫の処理者用の把持部とされる剛性の支持バーと、この支持バーに沿って延びると共に、この支持バーに沿う方向で上記筒形状体に接近、離反可能となるよう設けられる操作長尺材と、この操作長尺材における上記筒形状体がわの端部と上記筒形状体の操作開口から突出した上記シートの一部分とを互いに連結、離脱可能とさせる連結具とを備えたことを特徴とする請求項１から４のうちいずれか１つに記載の虫処理具。
【請求項６】
請求項１に記載の虫処理具の使用方法であって、
まず、処理対象となる虫を上記シートで覆うと共に、このシートを介し上記虫を上記筒形状体の処理開口の開口縁部で囲繞してこの筒形状体で覆い、
次に、上記筒形状体の操作開口を通し上記シートの一部分を上記筒形状体の外方に向けて引張することにより、この筒形状体の内部空間に上記シートの外縁部がわを虫と共に収容させるようにしたことを特徴とする虫処理具の使用方法。
【発明の詳細な説明】
【技術分野】
【０００１】
本発明は、虫を廃棄など処理しようとする場合において、虫に起因する視覚的かつ触覚的な不快感をその処理者に生じさせないようにした虫処理具、およびその使用方法に関するものである。
【背景技術】
【０００２】
屋内、屋外を問わず多種の虫が存在しており、これらのうちには人に不快感を与えたり、衛生上の問題を生じさせたりするものがある。そこで、従来より、それらの虫の忌避剤や殺虫剤が種々提案され、更に、殺虫処理後などの虫の死骸や動きの遅い虫を処理するための虫処理具が、下記特許文献１，２に示されるように提案されている。
【０００３】
上記各公報のうち、特許文献１のものによれば、虫処理具は、軸方向の一端部の開口が十字の切り込みを入れた閉封口とされる一方、他端部の開口が切り目を入れた回収口とされた筒と、上記閉封口がわに設けられ、２枚折りされた紙状の害虫捕捉部と、上記筒の内部空間を貫通し、一端部が上記害虫捕捉部に連結される糸とを備えている。
【０００４】
そして、虫の処理者による上記虫処理具の使用時には、まず、処理者が上記害虫捕捉部に害虫を押し付けて、この害虫を上記害虫捕捉部に付着させる。次に、上記糸の他端部を上記筒の外方に引張する。すると、この引張に連動した上記害虫捕捉部に害虫がくるまれて上記筒の中に取り込まれる。そして、これをゴミ箱に捨てれば、害虫の処理が終ることとされる。
【０００５】
一方、上記特許文献２のものによれば、虫処理具は、軸方向の両端部がそれぞれ開口する筒状箱部と、この筒状箱部に挿入され、上下面に窓があけられた容器状の引出し部とを備えている。
【０００６】
そして、虫の処理者による上記虫処理具の使用時には、まず、処理者が上記筒状箱部から一部分が引き出された引出し部の窓にゴキブリを収める。次に、この引出し部の上記一部分をゴキブリと共に上記筒状箱部に押し込む。すると、上記引出し部と共に上記ゴキブリが上記筒状箱部内に格納される。そして、これをゴミ箱に捨てれば、ゴキブリの処理が終ることとされる。
【先行技術文献】
【特許文献】
【０００７】
【特許文献１】特開２０１１−２１７７２０号公報
【特許文献２】特開２０１２−１８７０７１号公報
【発明の概要】
【発明が解決しようとする課題】
【０００８】
ところで、前記した特許文献１の虫処理具の使用時には、虫の処理者は、まず、上記害虫捕捉部に害虫を押し付けて付着させる必要がある。しかし、このように害虫を押し付ける際には、上記害虫からの特有の感触が処理者に伝わるおそれがある。
【０００９】
しかも、上記害虫捕捉部への害虫の付着は、この害虫が有する体毛・触覚に頼るものであり、また、上記したように糸を引張して害虫を付着させた害虫捕捉部を筒の中に取り込むとき、上記害虫捕捉部は害虫を単にくるんでいるだけである。このため、芋虫のように体毛を有しない害虫や、もがくだけの力が残っている害虫の場合には、上記害虫捕捉部から容易に剥離して不意に落下するおそれがある。そして、この場合には、処理者は上記のように落下した害虫を改めて目視せざるを得ない結果となる。
【００１０】
また、前記した特許文献２の虫処理具の使用時には、まず、虫の処理者に対し、上記引出し部の窓にゴキブリを収めることが要求されるが、このように窓にゴキブリを収める期間中、処理者はゴキブリに手の指が触れないよう精度よく目視を続ける必要がある。しかも、ゴキブリが死骸であるとしても、その脚が上記窓を越えて突出していたり、仮に、もがくだけの力が残っていて不意に脚を動かしたりする場合には、上記窓に近い手の指にゴキブリの足が不意に触れてしまうおそれがある。
【００１１】
よって、上記特許文献１，２のいずれの虫処理具の場合にも、その使用時には、処理者に対し視覚的かつ触覚的な不快感を与えてしまうおそれが多分に残されている。
【課題を解決するための手段】
【００１２】
本発明は、上記のような事情に注目してなされたもので、本発明の目的は、種々の虫のうち、主に死骸となったものや、動きの遅いものを廃棄など処理しようとする場合において、虫に起因する視覚的かつ触覚的な不快感をその処理者に生じさせないようにし、かつ、この虫の処理が容易にできるようにすることである。
【００１３】
請求項１の発明は、軸方向の一端部の開口が処理開口４とされ、他端部の開口が操作開口５とされて自由状態で所定形状を保持する筒形状体２と、面方向のほぼ中央に位置する一部分８ａが上記処理開口４の外方からこの処理開口４と筒形状体２の内部空間１０とを通り上記操作開口５から外部に突出可能とされるシート８とを備え、上記操作開口５を通し上記シート８の一部分８ａが上記筒形状体２の外方に向けて引張Ａされるとき、上記シート８の外縁部がわ８ｂの各部が、上記筒形状体２の内面を摺動しつつ互いに圧接させられると共にこの筒形状体２の内部空間１０に収容されるようにしたことを特徴とする虫処理具である。
【００１４】
請求項２の発明は、上記筒形状体２を、その軸方向で上記処理開口４がわから操作開口５がわに向かうに従い断面積が漸減するよう形成したことを特徴とする請求項１に記載の虫処理具である。
【００１５】
請求項３の発明は、上記操作開口５を長円形状にしている。
【００１６】
請求項４の発明は、上記操作開口５を狭めるよう上記筒形状体２の他端部の端縁部に環形状体６を取り付けたことを特徴とする請求項１から３のうちいずれか１つに記載の虫処理具である。
【００１７】
請求項５の発明は、長手方向の一端部が上記筒形状体２を支持する一方、他端部がわが虫Ｂの処理者Ｃ用の把持部とされる剛性の支持バー２０と、この支持バー２０に沿って延びると共に、この支持バー２０に沿う方向で上記筒形状体２に接近、離反可能となるよう設けられる操作長尺材２１と、この操作長尺材２１における上記筒形状体２がわの端部と上記筒形状体２の操作開口５から突出した上記シート８の一部分８ａとを互いに連結、離脱可能とさせる連結具２２とを備えたことを特徴とする請求項１から４のうちいずれか１つに記載の虫処理具である。
【００１８】
請求項６の発明は、請求項１に記載の虫処理具の使用方法であって、
まず、処理対象となる虫Ｂを上記シート８で覆うと共に、このシート８を介し上記虫Ｂを上記筒形状体２の処理開口４の開口縁部で囲繞してこの筒形状体２で覆い、
次に、上記筒形状体２の操作開口５を通し上記シート８の一部分８ａを上記筒形状体２の外方に向けて引張Ａすることにより、この筒形状体２の内部空間１０に上記シート８の外縁部がわ８ｂを虫Ｂと共に収容させるようにしたことを特徴とする虫処理具の使用方法である。
【００１９】
なお、この項において、上記各用語に付記した符号や図面番号は、本発明の技術的範囲を後述の「実施例」の項や図面の内容に限定解釈するものではない。
【発明の効果】
【００２０】
本発明による効果は、次の如くである。
【００２１】
請求項１の発明は、軸方向の一端部の開口が処理開口とされ、他端部の開口が操作開口とされて自由状態で所定形状を保持する筒形状体と、面方向のほぼ中央に位置する一部分が上記処理開口の外方からこの処理開口と筒形状体の内部空間とを通り上記操作開口から外部に突出可能とされるシートとを備え、上記操作開口を通し上記シートの一部分が上記筒形状体の外方に向けて引張されるとき、上記シートの外縁部がわの各部が、上記筒形状体の内面を摺動しつつ互いに圧接させられると共にこの筒形状体の内部空間に収容されるようにしている。
【００２２】
このため、上記虫処理具を用いての虫の処理時には、まず、この虫を上記シートで広く覆うと共に、このシートを介し上記虫を上記筒形状体で覆うことができることから、虫の処理時の当初において、この虫を処理者の視界から、より確実に消すことができる。よって、上記虫に起因する視覚的な不快感が処理者に生じることは、より確実に防止される。
【００２３】
また、上記したように、操作開口を通し上記シートの一部分が上記筒形状体の外方に向けて引張されるとき、上記シートの外縁部がわの各部が、上記筒形状体の内面を摺動しつつ互いに圧接させられると共にこの筒形状体の内部空間に収容されるようになっている。
【００２４】
このため、上記操作開口を通し上記シートの一部分を引張すると、上記筒形状体の内部空間で互いに圧接させられる上記シートの外縁部がわの各部によって上記虫が挟み付けられ、かつ、この状態で上記内部空間の奥がわに送り込まれることから、この虫は、上記シートの外縁部がわと共に上記筒形状体の内部空間に、より確実に、かつ、安定した状態で収容される。よって、上記筒形状体の内部空間に上記シートの外縁部がわと共に虫を収容するとき、この虫が上記筒形状体の内部空間から不意に落下することは防止され、つまり、このように落下する虫を処理者が改めて目視することは防止される。この結果、上記虫に起因する視覚的な不快感が処理者に生じることは、更に確実に防止される。
【００２５】
しかも、前記したようにシートの一部分を引張して、上記筒形状体の内部空間に虫を収容するとき、この筒形状体を把持する処理者と虫との間には、上記シートの外縁部がわに加え、自由状態で所定形状を保持するものであって、ある程度の剛性を有する筒形状体が介在することとなる。よって、上記虫からの特有の感触が処理者に伝わることは防止されて、上記虫に起因する触覚的な不快感が処理者に生じることは、より確実に防止される。
【００２６】
なお、上記筒形状体の処理開口の大きさに比べて虫があまりに小さい場合や、虫が芋虫のようにゴキブリなどに比べて長い場合には、上記筒形状体を把持する処理者の把持力を大きくしてこの筒形状体を弾性もしくは塑性変形させ、上記処理開口を上記虫の大きさや形状に対応させればよい。このようにすれば、上記操作開口の開口縁部により上記シートの外縁部がわを介し上記虫を軽く挟み付けることが容易にでき、この結果、上記筒形状体の内部空間への虫の収容が、より確実に容易にできる。
【００２７】
請求項２の発明は、上記筒形状体を、その軸方向で上記処理開口がわから操作開口がわに向かうに従い断面積が漸減するよう形成している。
【００２８】
このため、前記したようにシートの一部分を引張して、このシートの外縁部がわを虫と共に筒形状体の内部空間に収容するとき、上記シートの外縁部がわの各部は、上記操作開口がわに進むに従い互いにより強く圧接させられ、その分、上記虫を、より強固に挟み付ける。よって、上記虫は、上記シートの外縁部がわと共に更に安定した状態で筒形状体の内部空間に収容され、この結果、上記虫が上記筒形状体の内部空間から不意に落下することは、より確実に防止される。
【００２９】
請求項３の発明は、上記操作開口を長円形状にしている。
【００３０】
このため、上記筒形状体の外面のうち、上記処理開口の長円形状の短軸方向の両端面は、より平坦面となりがちである。よって、虫処理具の使用時に筒形状体を把持するとき、上記両端面を把持すれば、この筒形状体の把持を安定的にすることができ、その分、虫処理具を使用しての虫の処理が容易にできる。
【００３１】
また、上記筒形状体の処理開口においては、その短軸方向に向かう外力に対する剛性は長軸方向のそれよりも低い。このため、上記した平坦面となりがちな上記筒形状体の両端面を把持した状態で、この筒形状体を把持する処理者の把持力を大きくしてやれば、上記した処理開口の短軸方向への変形は容易にできる。よって、前記したように虫の大きさや形状に対応するよう、上記筒形状体を把持する処理者の把持力を大きくしてこの筒形状体を弾性もしくは塑性変形させることは容易にできることから、その分、上記虫処理具を使用しての虫の処理は更に容易にできる。
【００３２】
請求項４の発明は、上記操作開口を狭めるよう上記筒形状体の他端部の端縁部に環形状体を取り付けている。
【００３３】
このため、前記したようにシートの一部分を引張することにより、虫を挟み付けているシートの外縁部がわの各部が、上記筒形状体の内部空間において上記環形状体の近傍に達したときには、この環形状体からの反力により、上記シートの外縁部がわの各部による虫の挟み付けが更に強化される。また、上記した環形状体からの反力により、この環形状体はストッパとして働くことから、上記シートの一部分のそれ以上の引張は阻止される。よって、上記シートの外縁部がわが上記操作開口を通り抜けてしまうことは、より確実に防止されて、上記筒形状体の内部空間への虫の安定した収容が、更に確実に達成される。
【００３４】
請求項５の発明は、長手方向の一端部が上記筒形状体を支持する一方、他端部がわが虫の処理者用の把持部とされる剛性の支持バーと、この支持バーに沿って延びると共に、この支持バーに沿う方向で上記筒形状体に接近、離反可能となるよう設けられる操作長尺材と、この操作長尺材における上記筒形状体がわの端部と上記筒形状体の操作開口から突出した上記シートの一部分とを互いに連結、離脱可能とさせる連結具とを備えている。
【００３５】
このため、虫処理具の使用時には、まず、上記筒形状体の処理開口にシートの一部分を通して組み合わせ体を形成し、この組み合わせ体の筒形状体を上記遠隔操作具の支持バーの一端部における支持体に支持させ、上記組み合わせ体のシートの一部分と上記操作長尺材とを筒形状体により連結する。
【００３６】
次に、処理者が支持バーを把持し、例えば、処理者から離れて位置する天井面の虫に上記支持バーを介し組み合わせ体を接近させる。その後の虫処理具による虫の処理操作は、前記と同様であるが、上記シートの一部分の引張は、上記操作長尺材の引張によりすることができる。なお、前記床面上や壁面における虫も上記と同様に処理することができる。
【００３７】
よって、上記遠隔操作具の支持バー、操作長尺材、および連結具によれば、処理者から離れて位置する虫の処理が容易にできる。
【００３８】
請求項６の発明は、請求項１に記載の虫処理具の使用方法であって、請求項１の前記効果と同様の効果が生じる。
【図面の簡単な説明】
【００３９】
【図１】実施例１を示し、（ａ）は、虫処理具の側面部分断面部分破断図、（ｂ）は、筒形状体とシートとによる組み合わせ体の平面図である。
【図２】実施例１を示し、虫処理具の使用方法の前段を示す側面断面図である。
【図３】実施例１を示し、虫処理具の使用方法の中段を示す斜視図である。
【図４】実施例１を示し、虫処理具の使用方法の後段を示す側面断面図である。
【図５】実施例１を示し、虫処理具の他の使用方法を示す側面部分断面図である。
【図６】実施例２を示し、虫処理具の展開側面断面図である。
【図７】実施例３を示し、（ａ）は、虫処理具の斜視図、（ｂ）は、虫処理具を折り畳んでコンパクトな収納状態にした図である。
【発明を実施するための形態】
【００４０】
本発明の虫処理具に関し、種々の虫のうち、主に死骸となったものや、動きの遅いものを廃棄など処理しようとする場合において、虫に起因する視覚的かつ触覚的な不快感をその処理者に生じさせないようにし、かつ、この虫の処理が容易にできるようにする、という目的を実現するため、本発明を実施するための形態は、次の如くである。
【００４１】
即ち、虫処理具は、軸方向の一端部の開口が処理開口とされ、他端部の開口が操作開口とされて自由状態で所定形状を保持する筒形状体と、面方向のほぼ中央に位置する一部分が上記処理開口の外方からこの処理開口と筒形状体の内部空間とを通り上記操作開口から外部に突出可能とされるシートとを備える。上記操作開口を通し上記シートの一部分が上記筒形状体の外方に向けて引張されるとき、上記シートの外縁部がわの各部が、上記筒形状体の内面を摺動しつつ互いに圧接させられると共にこの筒形状体の内部空間に収容されるようにしている。
【実施例１】
【００４２】
本発明をより詳細に説明するために、その実施例１を添付の図１〜５に従って説明する。
【００４３】
図１，２において、符号１は虫処理具であり、この虫処理具１は筒形状体２を備える。この筒形状体２は、その軸心３に沿った軸方向の一端部の開口が処理開口４とされ、他端部の開口が操作開口５とされる。上記筒形状体２は紙製とされ、その自由状態において所定形状を保持するよう全体的にある程度の剛性を有し、その一方、外力によって弾性や塑性変形可能なものとされる。
【００４４】
上記処理開口４は、上記軸心３に沿った方向で見た平面視（図１（ｂ））で、長円形（楕円形含む、以下同じ）とされる。一方、上記操作開口５は平面視（図１（ｂ））で、上記処理開口４の短軸長さよりも短い直径の円形とされる。また、上記筒形状体２は、その軸方向で上記処理開口４がわから操作開口５がわに向かうに従い断面積が漸減する円錐台筒形状とされる。
【００４５】
上記操作開口５を挟めるよう上記筒形状体２の他端部の端縁部に環形状体６が取り付けられる。この環形状体６は上記筒形状体２と同様の紙製とされる。上記環形状体６は上記筒形状体２の他端部を補強して、その剛性を向上させる。
【００４６】
なお、上記処理開口４および操作開口５は、それぞれ円形、長円形、もしくは正方形などの多角形のいずれであってもよく、これらの中間的な形状であってもよい。また、上記筒形状体２は全体として円錐台筒形状をなしているが、角錐台形状としてもよく、また、軸方向の一部分のみを円錐台や角錐台筒形状としてもよい。また、上記筒形状体２は、その軸方向の各部断面が互いに同形同大のものであってもよい。
【００４７】
また、上記筒形状体２および環形状体６は、それぞれその材質を紙製や樹脂製として使い捨てのものとしてもよいが、ある程度弾性変形可能な硬質樹脂性や金属板製として、繰り返し使用が可能なものとしてもよい。
【００４８】
また、上記虫処理具１は、平面視で正方形をなすシート８を備えている。そして、図１（ａ）中二点鎖線と、図１（ｂ）とで示すように、上記シート８は、その面方向のほぼ中央に位置する一部分８ａが、上記筒形状体２の処理開口４と筒形状体２の内部空間１０とを通り上記操作開口５から外部に突出可能とされている。
【００４９】
図３，４において、上記操作開口５を通し上記シート８の一部分８ａが上記筒形状体２の外方に向けて引張Ａされるとき、上記シート８の外縁部がわ８ｂは上記処理開口４がわから操作開口５がわに向けて上記筒形状体２の内面と上記操作開口５の開口縁部とをそれぞれ摺動する。そして、この場合、上記シート８の外縁部がわ８ｂの各部は、上記筒形状体２の内面と操作開口５の開口縁部とからのそれぞれの反力により互いに圧接させられると共に、この筒形状体２の内部空間１０に収容されるようになっている。
【００５０】
具体的には、上記シート８は、その面方向で上記一部分８ａから外縁部に向かうに従い体積が増加するものであることから、上記したように、シート８の一部分８ａの引張Ａにより、上記筒形状体２の操作開口５を通し上記シート８の外縁部がわ８ｂが上記筒形状体２の内面を上記操作開口５に向かって摺動しつつ筒形状体２の内部空間１０に収容されるとき、上記シート８の外縁部がわ８ｂの各部は互いに圧接させられる。
【００５１】
上記シート８は平面視で長方形など多角形であってもよく、円形であってもよい。また、上記シート８は、面方向の各部のそれぞれにおいて撓みや屈曲の変形が容易にできるティッシュのような紙、不織布、合成繊維、天然繊維、ビニールなどの樹脂フィルムや、これらを積層や合成したものが適用可能である。また、この場合、シート８は起毛状のものや各目が小さい網状のもののように、表面が粗面であることが好ましい。更に、シート８は、これを所定形状となるよう変形させたとき、それ自体がその形状を保持するような自己保持性を有するものが好ましい。
【００５２】
上記虫処理具１の使用時には、まず、図１（ａ）中二点鎖線と図１（ｂ）とで示すように、処理対象となる虫Ｂを処理しようとする処理者Ｃが、その指や何らかの棒材により上記虫処理具１のシート８の一部分８ａを、上記筒形状体２の処理開口４と内部空間１０とを順次通して上記操作開口５から外部に突出させる。そして、この際、上記筒形状体２の内面と操作開口５の開口縁部へのシート８の摩擦接触により、これら筒形状体２、環形状体６、およびシート８により一体化された組み合わせ体１４を形成する。
【００５３】
ここで、上記虫Ｂは、特にその処理者Ｃなど人にとって視覚的かつ触覚的に不快感を生じさせ、衛生上問題のあるもので、例えば、ゴキブリ、蜘蛛、芋虫、毛虫、蜂、蝉、蛾、バッタ、カマキリ、百足、ミミズなどが挙げられる。また、この虫Ｂの処理の当初において、この虫Ｂの勢いがあまりに大きい場合には、予め、水生や油性の殺虫剤をスプレーして、少なくとも、その勢いをある程度に弱めることが好ましい。
【００５４】
次に、図２で示すように、上記組み合わせ体１４におけるシート８の外縁部がわ８ｂを上記筒形状体２の軸心３から離れる方向に拡がるよう展開させた状態とする。次に、処理者Ｃが上記組み合わせ体１４の筒形状体２を軽く指で挟むよう把持し、上記組み合わせ体１４を床面１６上の虫Ｂに接近させる。そして、この虫Ｂを、その上方から上記組み合わせ体１４のシート８で覆うと共に、このシート８の外縁部がわ８ｂを介し上記虫Ｂを上記筒形状体２の処理開口４の開口縁部で囲繞してこの筒形状体２で覆う。
【００５５】
上記の場合、筒形状体２の処理開口４の大きさに比べて虫Ｂがあまりに小さい場合や、虫Ｂが芋虫のようにゴキブリなどに比べて長い場合には、このような虫Ｂに対応するよう上記筒形状体２を把持する処理者Ｃの把持力を大きくし、図２中一点鎖線で示すように、上記筒形状体２を弾性もしくは塑性変形させて、その処理開口４の短軸を短くさせる一方、処理開口４の長軸を長くさせればよい。また、上記処理開口４の開口縁部と床面１６との間の隙間は、上記シート８の外縁部がわ８ｂにより軽く閉じることが好ましい。
【００５６】
次に、上記組み合わせ体１４における筒形状体２の操作開口５から突出したシート８の一部分８ａを処理者Ｃが指で挟み、図３で示すように、上記組み合わせ体１４における虫処理具１の操作開口５を通し上記シート８の一部分８ａを上記筒形状体２の外方に向けて引張Ａする。すると、上記シート８の外縁部がわ８ｂの各部が上記床面１６上を上記処理開口４に向かって摺動すると共に、上記筒形状体２の内面を上記操作開口５に向かって摺動する。そして、この際、上記シート８の外縁部がわ８ｂの各部は、上記処理開口４の中央域で互いに集合させられるため、このように処理開口４の中央域で互いに集合させられるシート８の外縁部がわ８ｂの各部によって上記虫Ｂが挟み付けられる。なお、上記シート８の一部分８ａは、この一部分８ａに挟み付けた洗濯バサミのようなピンチ具を介し引張Ａしてもよい。
【００５７】
次に、図４で示すように、シート８の一部分８ａを更に引張Ａすることにより、上記虫Ｂを挟み付けているシート８の外縁部がわ８ｂの各部が、上記筒形状体２の内部空間１０において上記環形状体６の近傍に達したときには、上記環形状体６がストッパとして働くことにより、上記シート８の一部分８ａのそれ以上の引張Ａが阻止される。
【００５８】
なお、上記筒形状体２の内部空間１０に収容した虫Ｂが大きくもがくような場合には、上記筒形状体２の操作開口５を通し、水生や油性の殺虫剤をスプレーし、しばらく間をおけばよい。
【００５９】
そして、その後、上記虫処理具１と共に虫Ｂをビニール製のごみ袋に入れるなどして廃棄したり、上記筒形状体２の内部空間１０からシート８と共に虫Ｂを排出し、この虫Ｂを屋外の庭などに投棄したり逃がしたりしてやれば、上記虫処理具１の使用による虫Ｂの処理ができる。
【００６０】
上記構成によれば、軸方向の一端部の開口が処理開口４とされ、他端部の開口が操作開口５とされて自由状態で所定形状を保持する筒形状体２と、面方向のほぼ中央に位置する一部分８ａが上記処理開口４の外方からこの処理開口４と筒形状体２の内部空間１０とを通り上記操作開口５から外部に突出可能とされるシート８とを備え、上記操作開口５を通し上記シート８の一部分８ａが上記筒形状体２の外方に向けて引張Ａされるとき、上記シート８の外縁部がわ８ｂの各部が、上記筒形状体２の内面を摺動しつつ互いに圧接させられると共にこの筒形状体２の内部空間１０に収容されるようにしている。
【００６１】
このため、上記虫処理具１を用いての虫Ｂの処理時には、まず、この虫Ｂを上記シート８で広く覆うと共に、このシート８を介し上記虫Ｂを上記筒形状体２で覆うことができることから、虫Ｂの処理時の当初において、この虫Ｂを処理者Ｃの視界から、より確実に消すことができる。よって、上記虫Ｂに起因する視覚的な不快感が処理者Ｃに生じることは、より確実に防止される。
【００６２】
また、上記したように、操作開口５を通し上記シート８の一部分８ａが上記筒形状体２の外方に向けて引張Ａされるとき、上記シート８の外縁部がわ８ｂの各部が、上記筒形状体２の内面を摺動しつつ互いに圧接させられると共にこの筒形状体２の内部空間１０に収容されるようになっている。
【００６３】
このため、上記操作開口５を通し上記シート８の一部分８ａを引張Ａすると、上記筒形状体２の内部空間１０で互いに圧接させられ、かつ、この状態で上記内部空間１０の奥がわに送り込まれる上記シート８の外縁部がわ８ｂの各部によって上記虫Ｂが挟み付けられることから、この虫Ｂは、上記シート８の外縁部がわ８ｂと共に上記筒形状体２の内部空間１０に、より確実に、かつ、安定した状態で収容される。よって、上記筒形状体２の内部空間１０に上記シート８の外縁部がわ８ｂと共に虫Ｂを収容するとき、この虫Ｂが上記筒形状体２の内部空間１０から不意に落下することは防止され、つまり、このように落下する虫Ｂを処理者Ｃが改めて目視することは防止される。この結果、上記虫Ｂに起因する視覚的な不快感が処理者Ｃに生じることは、更に確実に防止される。
【００６４】
しかも、前記したようにシート８の一部分８ａを引張Ａして、上記筒形状体２の内部空間１０に虫Ｂを収容するとき、この筒形状体２を把持する処理者Ｃと虫Ｂとの間には上記シート８の外縁部がわ８ｂに加え、自由状態で所定形状を保持するものであって、ある程度の剛性を有する筒形状体２が介在することとなる。よって、上記虫Ｂからの特有の感触が処理者Ｃに伝わることは防止されて、上記虫Ｂに起因する触覚的な不快感が処理者Ｃに生じることは、より確実に防止される。
【００６５】
なお、上記筒形状体２の処理開口４の大きさに比べて虫Ｂがあまりに小さい場合や、虫Ｂが芋虫のようにゴキブリなどに比べて長い場合には、このような虫Ｂの大きさや形状に対応するよう、上記筒形状体２を把持する処理者Ｃの把持力を大きくし、図２中一点鎖線で示すように、上記筒形状体２を弾性もしくは塑性変形させて、処理開口４の短軸を短くさせる一方、処理開口４の長軸を長くさせればよい。このようにすれば、上記操作開口５の開口縁部により上記シート８の外縁部がわ８ｂを介し上記虫Ｂを軽く挟み付けることが容易にでき、この結果、上記筒形状体２の内部空間１０への虫Ｂの収容が、より確実に容易にできる。
【００６６】
また、前記したように、筒形状体２を、その軸方向で上記処理開口４がわから操作開口５がわに向かうに従い断面積が漸減するよう形成している。
【００６７】
このため、前記したようにシート８の一部分８ａを引張Ａして、このシート８の外縁部がわ８ｂを虫Ｂと共に筒形状体２の内部空間１０に収容するとき、上記シート８の外縁部がわ８ｂの各部は、上記操作開口５がわに進むに従い互いにより強く圧接させられ、その分、上記虫Ｂを、より強固に挟み付ける。よって、上記虫Ｂは、上記シート８の外縁部がわ８ｂと共に更に安定した状態で筒形状体２の内部空間１０に収容され、この結果、上記虫Ｂが上記筒形状体２の内部空間１０から不意に落下することは、より確実に防止される。
【００６８】
また、前記したように、操作開口５を長円形状にしている。
【００６９】
このため、上記筒形状体２の外面のうち、上記処理開口４の長円、もしくは楕円形状の短軸方向の両端面は、より平坦面となりがちである。よって、虫処理具１の使用時に筒形状体２を把持するとき、上記両端面を把持すれば、この筒形状体２の把持を安定的にすることができ、その分、虫処理具１を使用しての虫Ｂの処理が容易にできる。
【００７０】
また、上記筒形状体２の処理開口４においては、その短軸方向に向かう外力に対する剛性は長軸方向のそれよりも低い。このため、上記した平坦面となりがちな上記筒形状体２の両端面を把持した状態で、この筒形状体２を把持する処理者Ｃの把持力を大きくしてやれば、上記した処理開口４の短軸方向への変形は容易にできる。よって、前記したように虫Ｂの大きさや形状に対応するよう、上記筒形状体２を把持する処理者Ｃの把持力を大きくしてこの筒形状体２を弾性もしくは塑性変形させることは容易にできることから、その分、上記虫処理具１を使用しての虫Ｂの処理は更に容易にできる。
【００７１】
また、前記したように、操作開口５を狭めるよう上記筒形状体２の他端部の端縁部に環形状体６を取り付けている。
【００７２】
このため、前記したようにシート８の一部分８ａを引張Ａすることにより、虫Ｂを挟み付けているシート８の外縁部がわ８ｂの各部が、上記筒形状体２の内部空間１０において上記環形状体６の近傍に達したときには、この環形状体６からの反力により、上記シート８の外縁部がわ８ｂの各部による虫Ｂの挟み付けが更に強化される。また、上記した環形状体６からの反力により、この環形状体６はストッパとして働くことから、上記シート８の一部分８ａのそれ以上の引張Ａは阻止される。よって、上記シート８の外縁部がわ８ｂが上記操作開口５を通り抜けてしまうことは、より確実に防止されて、上記筒形状体２の内部空間１０への虫Ｂの安定した収容が、更に確実に達成される。
【００７３】
図５において、上記虫処理具１は、前記した筒形状体２とシート８とによる虫Ｂの処理操作を、これら２，８から離れた位置で可能とする遠隔操作具１９を備えている。
【００７４】
上記遠隔操作具１９は、長手方向の一端部が上記筒形状体２を着脱可能に保持する一方、他端部がわが虫Ｂの処理者Ｃ用の把持部とされる剛性の支持バー２０と、この支持バー２０に沿って延びるようこの支持バー２０の内部空間を貫通するよう延びると共に、この支持バー２０に沿う方向で上記筒形状体２に接近、離反となるよう設けられる操作長尺材２１と、この操作長尺材２１における上記筒形状体２がわの端部と上記筒形状体２の操作開口５から突出した上記シート８の一部分８ａとを互いに連結、離脱可能とされる連結具２２とを備えている。
【００７５】
具体的には、上記支持バー２０は、その一端部を構成し、上記筒形状体２の操作開口５がわの端部を嵌脱可能に圧入させることにより、この筒形状体２を着脱可能に保持する筒形状支持体２５と、上記支持バー２０の他端部がわを構成する剛性のパイプ材２６と、このパイプ材２６の上記支持体２５がわの端部にこの支持体２５を全方向に回動Ｄ可能に支持する自在継手２７とを有している。
【００７６】
上記の場合、パイプ材２６は、これに代えて中実の棒材としてもよく、二重管にしてその長手方向に伸縮自在の構造としてもよく、また、電気スタンドに用いられているような長手方向各部が屈曲自在とされて、その屈曲状態が自己保持されるものであってもよい。また、上記自在継手２７は、ボールジョイント式などのものであって、上記パイプ材２６の端部に対し上記支持体２５を所望回動姿勢のままに自己保持できる摩擦力を有するものとされる。
【００７７】
前記操作長尺材２１は、図例ではロープ、ワイヤー、ケーブルなどの可撓性索条体であるが、剛性のパイプや線材であってもよい。また、前記連結具２２は洗濯バサミのような弾性的なピンチ具や、フックなどである。
【００７８】
上記構成によれば、図５に示すように、虫処理具１の使用時には、まず、上記筒形状体２の処理開口４にシート８の一部分８ａを通して組み合わせ体１４を形成し、この組み合わせ体１４の筒形状体２を上記遠隔操作具１９の支持バー２０の一端部における支持体２５に支持させ、上記組み合わせ体１４のシート８の一部分８ａと上記操作長尺材２１とを筒形状体２により連結する。
【００７９】
次に、処理者Ｃが支持バー２０を把持し、例えば、処理者Ｃから離れて位置する天井面３０の虫Ｂに上記支持バー２０を介し組み合わせ体１４を接近させる。その後の虫処理具１による虫Ｂの処理操作は、前記と同様であるが、上記シート８の一部分８ａの引張Ａは、上記操作長尺材２１の引張によりすることができる。なお、前記床面１６上や壁面３１における虫Ｂも上記と同様に処理することができる。
【００８０】
よって、上記遠隔操作具１９の支持バー２０、操作長尺材２１、および連結具２２によれば、処理者Ｃから離れて位置する虫Ｂの処理が容易にできる。
【００８１】
以下の図６，７は、実施例２，３を示している。これら実施例２，３は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００８２】
本発明をより詳細に説明するために、その実施例２を添付の図６に従って説明する。
【００８３】
図６において、上記虫処理具１におけるシート８の一部分８ａには固着具３３により把手３４が突設される。また、この把手３４の長手方向の中途部には弾性変形可能なフック形状の掛止部３５が一体的に形成される。
【００８４】
上記筒形状体２に対しシート８を組み付けて組み合わせ体１４を形成する場合には、上記把手３４と掛止部３５とを、上記筒形状体２の処理開口４と内部空間１０とを順次通して上記操作開口５から外部に突出させる。上記掛止部３５が上記操作開口５を通り抜けるとき、上記掛止部３５は一旦弾性変形した後、元の形状に戻り、上記操作開口５の開口縁部に掛止される。これにより、上記組み合わせ体１４が形成される。
【００８５】
その後の上記虫処理具１による虫Ｂの処理手順は前記と同様であるが、上記シート８の一部分８ａの引張Ａは上記把手３４を介してなされる。また、上記の場合、筒形状体２とシート８とによる組み合わせ体１４の形成以前に、上記シート８で虫Ｂを覆うようにしてもよい。また、この場合、上記掛止部３５は設けなくてもよい。
【実施例３】
【００８６】
本発明をより詳細に説明するために、その実施例３を添付の図７に従って説明する。
【００８７】
図７（ａ）において、上記筒形状体２は角筒形状とされ、上記環形状体６は、上記筒形状体２の他端部開口に嵌脱可能となるようこの他端部開口の一辺の開口縁部に枢支される。上記筒形状体２の他端部開口に上記環形状体６が嵌入されたとき、この環形状体６に補強されて、上記筒形状体２は自由状態で所定形状を保持することとされる。
【００８８】
図７（ｂ）において、上記筒形状体２の他端部開口から上記環形状体６が離脱したとき、上記筒形状体２は折り畳み可能とされる。そして、この折り畳みにより、上記筒形状体２は環形状体６と共に平坦な形状とされ、コンパクトに収納可能とされる。
【符号の説明】
【００８９】
１    虫処理具
２    筒形状体
３    軸心
４    処理開口
５    操作開口
６    環形状体
８    シート
８ａ  一部分
８ｂ  外縁部がわ
１０  内部空間
１４  組み合わせ体
１６  床面
１９  遠隔操作具
２０  支持バー
２１  操作長尺材
２２  連結具
２５  支持体
２６  パイプ材
２７  自在継手
３０  天井面
３１  壁面
３３  固着具
３４  把手
３５  掛止部
Ａ    引張
Ｂ    虫
Ｃ    処理者
Ｄ    回動
【図１】
2014209864.tif 000003
【図２】
2014209864.tif 000004
【図３】
2014209864.tif 000005
【図４】
2014209864.tif 000006
【図５】
2014209864.tif 000007
【図６】
2014209864.tif 000008
【図７】
2014209864.tif 000009
【手続補正書】
【提出日】平成25年6月18日(2013.6.18)
【手続補正１】
【補正対象書類名】明細書
【補正対象項目名】００１５
【補正方法】変更
【補正の内容】
【００１５】
請求項３の発明は、上記処理開口４を長円形状にしたことを特徴とする請求項１、もしくは２に記載の虫処理具である。
【手続補正２】
【補正対象書類名】明細書
【補正対象項目名】００２９
【補正方法】変更
【補正の内容】
【００２９】
請求項３の発明は、上記処理開口を長円形状にしている。
【手続補正３】
【補正対象書類名】明細書
【補正対象項目名】００３５
【補正方法】変更
【補正の内容】
【００３５】
このため、虫処理具の使用時には、まず、上記筒形状体の処理開口にシートの一部分を通して組み合わせ体を形成し、この組み合わせ体の筒形状体を上記遠隔操作具の支持バーの一端部に支持させ、上記組み合わせ体のシートの一部分と上記操作長尺材とを連結具により連結する。
【手続補正４】
【補正対象書類名】明細書
【補正対象項目名】００６８
【補正方法】変更
【補正の内容】
【００６８】
また、前記したように、処理開口４を長円形状にしている。
【手続補正５】
【補正対象書類名】明細書
【補正対象項目名】００７８
【補正方法】変更
【補正の内容】
【００７８】
上記構成によれば、図５に示すように、虫処理具１の使用時には、まず、上記筒形状体２の処理開口４にシート８の一部分８ａを通して組み合わせ体１４を形成し、この組み合わせ体１４の筒形状体２を上記遠隔操作具１９の支持バー２０の一端部における支持体２５に支持させ、上記組み合わせ体１４のシート８の一部分８ａと上記操作長尺材２１とを連結具２２により連結する。
【手続補正６】
【補正対象書類名】特許請求の範囲
【補正対象項目名】請求項３
【補正方法】変更
【補正の内容】
【請求項３】
上記処理開口を長円形状にしたことを特徴とする請求項１、もしくは２に記載の虫処理具。